(57)【要約】【課題】カメラを遮蔽する部材を別途用意する必要が無い電子機器を提供する。【解決手段】ノートパソコン１のレンズカバーユニット４は、少なくともその一部がカバー３内に収容されている。レンズカバーユニット４は、透光部である透光カバー４４がカメラ６と対向する第１位置と、カメラ遮蔽部である厚肉部４２がカメラ６を遮蔽する第２位置と、の間で移動可能である。【選択図】図４
2019028157.tif 000002
【特許請求の範囲】
【請求項１】
所定の情報を表示する表示パネルと、
前記表示パネルの周囲を囲むカバーと、
前記カバー内に収容され、前記カバーの前方を撮影するカメラと、
光を透過させる材料で形成される透光部と光を透過させない材料で形成されるカメラ遮蔽部とが一体として構成されるレンズカバーユニットと、を備え、
前記レンズカバーユニットは、少なくともその一部が前記カバー内に収容され、前記透光部が前記カメラと対向する第１位置と、前記カメラ遮蔽部が前記カメラを遮蔽する第２位置と、の間で移動可能である、電子機器。
【請求項２】
前記カバーに長孔が形成され、
前記レンズカバーユニットは、前記長孔内に配置されるとともに、前記長孔の長手方向にスライド移動可能に構成されている、請求項１に記載の電子機器。
【請求項３】
前記カメラ遮蔽部と前記透光部は、前記長孔の長手方向に隣り合うように配置されている、請求項２に記載の電子機器。
【請求項４】
前記カバーのうち、前記レンズカバーユニットが前記第２位置に配置されている場合に前記透光部と対向する部位に、前記カメラ遮蔽部が前記カメラを遮蔽していることを示す遮蔽インジケータが設けられている、請求項３に記載の電子機器。
【請求項５】
前記カメラ遮蔽部に、ユーザが手指を掛けるための手掛かりが形成されている、請求項２に記載の電子機器。
【請求項６】
前記手掛かりは、前記長孔の長手方向と直交する方向に延びる溝である、請求項５に記載の電子機器。
【請求項７】
前記カメラが通電されている場合に光を発する通電インジケータを備え、
前記レンズカバーユニットは、前記カメラ遮蔽部とは異なる部位に通電インジケータ遮蔽部を有し、
前記通電インジケータ遮蔽部は、前記レンズカバーユニットが前記第１位置に配置されている場合は、前記通電インジケータが発した光を遮らない位置に配置され、前記レンズカバーユニットが前記第２位置に配置されている場合は、前記通電インジケータを遮蔽する、請求項１から６のいずれか一項に記載の電子機器。
【請求項８】
所定の情報を表示する表示パネルと、
前記表示パネルの周囲を囲むカバーと、
前記カバー内に収容され、前記カバーの前方を撮影するカメラと、
光を透過させない材料で形成されるカメラ遮蔽部を有するシャッタと、を備え、
前記カバーにカメラ孔が形成され、
前記カメラは、前記カメラ孔を介して撮影するように配置され、
前記シャッタは、その全体が前記カバー内に収容され、前記カメラを開放する第１位置と、前記カメラ遮蔽部が前記カメラを遮蔽する第２位置と、の間で移動可能である、電子機器。
【請求項９】
前記シャッタは、前記カバーの厚さ方向と直交する方向にスライド移動可能に構成されている、請求項８に記載の電子機器。
【発明の詳細な説明】
【技術分野】
【０００１】
本発明は、電子機器に関する。
【背景技術】
【０００２】
カメラを備えた電子機器として、例えば特許文献１に記載されたノートブック型パーソナルコンピュータ（以下「ノートパソコン」という。）が知られている。当該ノートパソコンのカメラは、パソコンＣＰＵにより制御され、表示パネル（ディスプレイ）の前方のユーザ等を撮影する。
【先行技術文献】
【特許文献】
【０００３】
【特許文献１】特開２０１６−２１２５９号公報
【発明の概要】
【発明が解決しようとする課題】
【０００４】
このようなノートパソコンでは、第三者によりハッキングされた場合等に、プライバシー保護のため、カメラによる撮影を禁止できることが好ましい。その方法の一つとして、ノートパソコンの外側面に、カメラを遮蔽するシールを貼着するものが知られている。また、ユーザが手動で開閉可能なシャッタをノートパソコンの外側面に取り付け、当該シャッタを閉状態にすることによりカメラを遮蔽する方法も知られている。
【０００５】
しかしながら、このようなシールやシャッタは、ノートパソコンと別途で用意する必要があった。また、取り付けられたシャッタがノートパソコンの外側面から突出するため、意匠性が低下したり、ノートパソコンを使用する際の邪魔になったりするという課題があった。
【０００６】
本発明は、カメラを遮蔽する部材を別途用意する必要が無い電子機器を提供することを目的とする。
【課題を解決するための手段】
【０００７】
上記課題を解決するために、一態様に係る電子機器は、所定の情報を表示する表示パネルと、表示パネルの周囲を囲むカバーと、カバー内に収容され、カバーの前方を撮影するカメラと、光を透過させる材料で形成される透光部と光を透過させない材料で形成されるカメラ遮蔽部とが一体として構成されるレンズカバーユニットと、を備える。レンズカバーユニットは、少なくともその一部がカバー内に収容され、透光部がカメラと対向する第１位置と、カメラ遮蔽部がカメラを遮蔽する第２位置と、の間で移動可能である。
【０００８】
この態様によれば、レンズカバーユニットは、少なくともその一部がカバー内に収容されている。このため、電子機器とは別途で、カメラを遮蔽する部材を用意する必要が無い。
【０００９】
また、レンズカバーユニットは、第１位置と第２位置との間で移動可能である。レンズカバーユニットが第１位置に配置されている場合、レンズカバーユニットの透光部がカメラと対向するため、カメラによる撮影が可能である。一方、レンズカバーユニットが第２位置に配置されている場合、レンズカバーユニットのカメラ遮蔽部がカメラを遮蔽するため、カメラによる撮影が禁止される。このように、ユーザがレンズカバーユニットを第１位置と第２位置とに選択的に配置することにより、カメラによる撮影が可能な状態と、撮影が禁止された状態と、を切り替えることが可能になる。
【００１０】
上記課題を解決するために、他の態様に係る電子機器は、所定の情報を表示する表示パネルと、表示パネルの周囲を囲むカバーと、カバー内に収容され、カバーの前方を撮影するカメラと、光を透過させない材料で形成されるカメラ遮蔽部を有するシャッタと、を備える。カバーにカメラ孔が形成される。カメラは、カメラ孔を介して撮影するように配置される。シャッタは、その全体がカバー内に収容され、カメラを開放する第１位置と、カメラ遮蔽部がカメラを遮蔽する第２位置と、の間で移動可能である。
【００１１】
この態様によれば、シャッタは、その全体がカバー内に収容されている。このため、電子機器とは別途で、カメラを遮蔽する部材を用意する必要が無い。また、シャッタを移動させるための機構を、カバーにより保護することが可能になる。
【００１２】
また、シャッタは、第１位置と第２位置との間で移動可能である。シャッタが第１位置に配置されている場合、カメラが開放されるため、カメラによる撮影が可能である。一方、シャッタが第２位置に配置されている場合、シャッタのカメラ遮蔽部がカメラを遮蔽するため、カメラによる撮影が禁止される。このように、ユーザがシャッタを第１位置と第２位置とに選択的に配置することにより、カメラによる撮影が可能な状態と、撮影が禁止された状態と、を切り替えることが可能になる。
【発明の効果】
【００１３】
本発明の上記態様によれば、カメラを遮蔽する部材を別途用意する必要が無い電子機器を提供することができる。
【図面の簡単な説明】
【００１４】
【図１】第１実施形態に係るノートパソコンを示す斜視図である。
【図２】図１のＩＩ部を示す分解図である。
【図３】図１のＩＩ部を示す正面図である。
【図４】図３のＩＶ−ＩＶ断面を示す断面図である。
【図５】図１のＩＩ部を示す正面図である。
【図６】図５のＶＩ−ＶＩ断面を示す断面図である。
【図７】第２実施形態に係るノートパソコンを示す正面図である。
【図８】図７のＶＩＩＩ−ＶＩＩＩ断面を示す断面図である。
【図９】図７のノートパソコンを示す正面図である。
【図１０】図９のＸ−Ｘ断面を示す断面図である。
【発明を実施するための形態】
【００１５】
添付図面を参照して、本発明の好適な実施形態について説明する。本発明は、例えば、ノートパソコン、デスクトップ型のパーソナルコンピュータ、サーバ、タブレット型コンピュータ、スマートフォン等、種々の電子機器に適用可能である。
【００１６】
以下の実施形態は、本発明をノートパソコンに適用した例である。なお、各添付図面においては、同一又は同様の部材には、同一の符号を付している。
【００１７】
＜第１実施形態＞
まず、図１を参照しながら、第１実施形態に係るノートパソコン１の概要について説明する。図１は、ノートパソコン１を示す斜視図である。ノートパソコン１は、本体１１と、カバー３とを有している。
【００１８】
本体１１は、扁平な箱形状を呈している。本体１１の内部には、不図示の基板、ＣＰＵ、メモリ、ＨＤＤやＳＤＤ、バッテリ等が収容されている。本体１１の上面には、キーボード１１ａやタッチパット１１ｂ等の、ユーザからの入力を受け付ける入力装置が設けられている。
【００１９】
カバー３は、樹脂材料により形成され、その内部にＬＣＤモジュール２等の電子部品を収容している。カバー３は、不図示のヒンジを介して本体１１の端部に接続され、本体１１に対して開閉可能に構成されている。カバー３は、閉状態においてキーボード１１ａ等を覆い、これらを保護する。また、カバー３は、開状態において図１に示されるように起立し、キーボード１１ａ等を露出させる。以下、カバー３が起立した状態において、カバー３側からユーザ側に向かう方向を「前方」といい、カバー３と対向するユーザから見て左右方向を「幅方向」という。
【００２０】
ＬＣＤモジュール２は、表示パネルの一例である。ＬＣＤモジュール２は、キーボード１１ａやタッチパット１１ｂが受け付けた入力に基づき、各種情報を表示する。詳細には、まず、不図示のグラフィックス・コントローラが、キーボード１１ａ等が受け付けた入力に基づいて所定の演算を行い、演算結果に対応する制御信号をＬＣＤモジュール２に送信する。ＬＣＤモジュール２は、当該制御信号を受信し、映像や文字を表示する。
【００２１】
カバー３は、ベゼル３１を有している。ベゼル３１は枠体であり、その枠内を介してＬＣＤモジュール２を露出させている。起立したカバー３のベゼル３１の上端部（以下「ベゼル３１の上端部」という。）であって、幅方向の略中央部には、長孔３１ａが形成されている。長孔３１ａ内にはレンズカバーユニット４が配置されている。
【００２２】
次に、図２を参照しながら、ベゼル３１の上端部の構成について説明する。図２は、図１のＩＩ部を示す分解図である。図２は、本体１１側から斜視したＩＩ部を示している。
【００２３】
長孔３１ａは、幅方向を長手方向としている。幅方向における長孔３１ａの中央部は、等しい幅で直線状に延びている。一方、長孔３１ａの端部３１１，３１２は円弧形状を呈しており、その幅が漸次縮小している。長孔３１ａの側方には、ＬＥＤ孔３１ｂが形成されている。長孔３１ａ及びＬＥＤ孔３１ｂは、いずれもベゼル３１を厚さ方向に貫通している。
【００２４】
ベゼル３１の内側には、内カバー３３及びレンズカバーユニット４が配置されている。内カバー３３は、カバー３のベゼル３１と外カバー３２（図４参照）との間に配置される薄板形状の部材である。内カバー３３は、その前方の一部がベゼル３１により覆われている。
【００２５】
内カバー３３は、その中央部に凹部３３ａが形成されている。凹部３３ａは、内カバー３３の厚さ方向に凹設されており、幅方向を長手方向としている。凹部３３ａには、カメラ孔３３ｂ、ＬＥＤ孔３３ｃ、案内溝３３ｄ及び遮蔽インジケータ３３ｅが設けられている。カメラ孔３３ｂ、ＬＥＤ孔３３ｃ、案内溝３３ｄ及び遮蔽インジケータ３３ｅは、凹部３３ａの長手方向に沿って直線状に配列されている。
【００２６】
カメラ孔３３ｂ及びＬＥＤ孔３３ｃは、いずれも内カバー３３を厚さ方向に貫通している。カメラ孔３３ｂは、カバー３内に収容されているカメラ６の前方に形成されており、カメラ６の一部を露出させている。ＬＥＤ孔３３ｃは、後述する基板５に実装されている発光ダイオード７（図４等参照）の前方に形成されている。発光ダイオード７は通電インジケータの一例であり、カメラ６が通電されている場合に光を発する。
【００２７】
カメラ６は、不図示のレンズ及びイメージセンサを有しており、採光して画像データを生成する撮影装置である。カメラ６は、基板５に実装されている。
【００２８】
遮蔽インジケータ３３ｅは、凹部３３ａのうち、カメラ孔３３ｂとＬＥＤ孔３３ｃとの間の部位に設けられている。遮蔽インジケータ３３ｅは、塗料で描画された図柄である。遮蔽インジケータ３３ｅとしては、例えば赤色の円であることが挙げられる。
【００２９】
案内溝３３ｄは、内カバー３３を厚さ方向に貫通している。案内溝３３ｄ内には、後述するレンズカバーユニット４の突起４６（図４参照）が配置される。
【００３０】
レンズカバーユニット４は、樹脂材料により形成された薄板形状の部材である。レンズカバーユニット４は、内カバー３３の凹部３３ａ内に配置される。幅方向におけるレンズカバーユニット４のサイズは、凹部３３ａのサイズよりも小さい。
【００３１】
レンズカバーユニット４は、薄肉部４１及び厚肉部４２を有している。薄肉部４１は通電インジケータ遮蔽部の一例であり、厚肉部４２はカメラ遮蔽部の一例である。厚肉部４２は、幅方向におけるレンズカバーユニット４の中央部で隆起しており、薄肉部４１よりも厚みが大きい。厚肉部４２の両端部は、ベゼル３１の長孔３１ａの端部３１１，３１２と略等しい半径の円弧形状を呈している。
【００３２】
厚肉部４２には、厚肉部４２を厚さ方向に貫通する貫通孔４３が形成されている。この貫通孔４３には、透光カバー４４が嵌装されている。透光カバー４４は、透光部の一例であり、ポリエチレンテレフタレート、ポリスチレン、ポリプロピレン、アクリル等の樹脂材料、ガラスなど、可視光を透過させる材料により形成されている。また、厚肉部４２の外側面のうち、貫通孔４３の側方の部位には、溝４５が形成されている。溝４５は、直線状に延びている。
【００３３】
内カバー３３は、その凹部３３ａ内にレンズカバーユニット４が配置された状態で、ベゼル３１により覆われる。これにより、レンズカバーユニット４の厚肉部４２が、ベゼル３１の長孔３１ａ内に配置され、前方に臨出する。一方、レンズカバーユニット４の薄肉部４１は、ベゼル３１と内カバー３３との間に配置される。
【００３４】
前述したように、幅方向におけるレンズカバーユニット４のサイズは、凹部３３ａのサイズよりも小さい。このため、凹部３３ａ内に配置されたレンズカバーユニット４は、矢印Ｓ１で示されるように、幅方向（つまり、長孔３１ａの長手方向）にスライド移動することができる。レンズカバーユニット４は、このスライド移動により、後述するように第１位置と第２位置とに配置可能である。
【００３５】
次に、図３から図６を参照しながら、レンズカバーユニット４の機能について説明する。図３及び図４は、レンズカバーユニット４が第１位置に配置された状態のカバー３を示している。図３は、図１のＩＩ部を示す正面図であり、図４は、図３のＩＶ−ＩＶ断面を示す断面図である。また、図５及び図６は、レンズカバーユニット４が第２位置に配置された状態のカバー３を示している。図５は、図１のＩＩ部を示す正面図であり、図６は、図５のＶＩ−ＶＩ断面を示す断面図である。
【００３６】
［レンズカバーユニット４が第１位置に配置されている場合］
この場合、レンズカバーユニット４の厚肉部４２は、図３及び図４に示されるように、ベゼル３１の長孔３１ａの端部３１１に近接する。このとき、図４に示されるように、厚肉部４２はカメラ６からオフセット配置され、貫通孔４３がカメラ６の前方に配置される。これにより、貫通孔４３に嵌装されている透光カバー４４が、カメラ６と対向する。
【００３７】
前述したように、透光カバー４４は、可視光を透過させる材料により形成されている。したがって、図４に矢印Ｌ１１で示されるように、カメラ６はカバー３の前方から透光カバー４４を介して採光するとともに、当該採光に基づいて画像データを生成する。すなわち、レンズカバーユニット４が第１位置に配置されている場合、カメラ６によるカバー３の前方の撮影が可能になる。
【００３８】
また、図４に示されるように、発光ダイオード７の前方にレンズカバーユニット４は配置されていない。このため、発光ダイオード７が発した光は、矢印Ｌ２１で示されるように、内カバー３３のＬＥＤ孔３３ｃと、ベゼル３１のＬＥＤ孔３１ｂと、を介してカバー３の外部に出射する。ユーザは、ＬＥＤ孔３１ｂから光が出射していることに基づき、カメラ６がカバー３の前方を撮影可能な状態にあることを把握することができる。
【００３９】
［第１位置から第２位置へのレンズカバーユニット４のスライド移動］
ユーザは、手指を溝４５に掛け、図３に矢印Ｓ２で示される方向に押圧することにより、レンズカバーユニット４を第１位置から第２位置にスライド移動させることができる。図４に示されるレンズカバーユニット４の突起４６は、案内溝３３ｄ内に沿って案内される。
【００４０】
溝４５は、長孔３１ａの長手方向と直交する方向に延びている。つまり、溝４５は、レンズカバーユニット４がスライド移動する方向と直交する方向に延びている。このため、ユーザによる押圧を、レンズカバーユニット４のスライド移動に効率良く用いることができる。
【００４１】
［レンズカバーユニット４が第２位置に配置されている場合］
この場合、レンズカバーユニット４の厚肉部４２は、図５及び図６に示されるように、ベゼル３１の長孔３１ａの端部３１２に近接する。このとき、図６に示されるように、貫通孔４３はカメラ６からオフセット配置され、厚肉部４２がカメラ６の前方に配置される。
【００４２】
カメラ６の前方に厚肉部４２が配置されることにより、カメラ６は厚肉部４２により遮蔽される。このため、図６に矢印Ｌ１２で示されるように、カバー３の前方からの光は厚肉部４２により遮られるため、カメラ６による採光が妨げられる。すなわち、レンズカバーユニット４が第２位置に配置されている場合、カメラ６によるカバー３の前方の撮影が禁止される。
【００４３】
また、レンズカバーユニット４の貫通孔４３は、内カバー３３の遮蔽インジケータ３３ｅと対応する位置に配置される。このため、遮蔽インジケータ３３ｅは、透光カバー４４を介してユーザに目視可能な状態になる。
【００４４】
さらに、発光ダイオード７の前方に薄肉部４１が配置される。このため、発光ダイオード７が発した光は、矢印Ｌ２２で示されるように薄肉部４１により遮られ、カバー３の外部への出射が禁止される。ユーザは、ＬＥＤ孔３１ｂから光が出射していないことに基づき、カメラ６によるカバー３の前方の撮影が不可能な状態にあることを把握することができる。
【００４５】
［第２位置から第１位置へのレンズカバーユニット４のスライド移動］
ユーザは、手指を溝４５に掛け、図５に矢印Ｓ３で示される方向に押圧することにより、レンズカバーユニット４を第２位置から第１位置にスライド移動させることができる。このときも、図６に示されるレンズカバーユニット４の突起４６は、案内溝３３ｄ内に沿って案内される。
【００４６】
このように、レンズカバーユニット４において、カメラ遮蔽部である厚肉部４２と、透光部である透光カバー４４と、が一体として構成されている。換言すれば、カメラを保護しつつも光を透過させるものとして一般的に用いられているレンズカバーが、光を遮ることができる部位をも有しており、移動によりその機能を切り替え可能に構成されている。
【００４７】
次に、第１実施形態に係るノートパソコン１の作用効果について説明する。
【００４８】
ノートパソコン１の態様によれば、レンズカバーユニット４はその一部がカバー３内に収容されている。このため、ノートパソコン１とは別途で、カメラ６を遮蔽する部材を用意する必要が無い。
【００４９】
また、レンズカバーユニット４は、第１位置と第２位置との間で移動可能である。レンズカバーユニット４が第１位置に配置されている場合、レンズカバーユニット４の透光カバー４４がカメラ６と対向するため、カメラ６による撮影が可能である。一方、レンズカバーユニット４が第２位置に配置されている場合、レンズカバーユニット４の厚肉部４２がカメラ６を遮蔽するため、カメラ６による撮影が禁止される。このように、ユーザがレンズカバーユニット４を第１位置と第２位置とに選択的に配置することにより、カメラ６による撮影が可能な状態と、撮影が禁止された状態と、を切り替えることが可能になる。
【００５０】
カバー３に長孔３１ａが形成されている。レンズカバーユニット４は、長孔３１ａ内に配置されるとともに、長孔３１ａの長手方向にスライド移動可能に構成されている。この態様によれば、コンパクトな構成によりレンズカバーユニット４をスライド移動可能に構成することが可能になる。
【００５１】
厚肉部４２と透光カバー４４は、長孔３１ａの長手方向に隣り合うように配置されている。この態様によれば、レンズカバーユニット４を長孔３１ａの長手方向にスライド移動させることにより、カメラ６の配置される部位を、厚肉部４２又は透光カバー４４に容易に切り替えることが可能になる。
【００５２】
カバー３のうち、レンズカバーユニット４が第２位置に配置されている場合に透光カバー４４と対向する部位に、厚肉部４２がカメラ６を遮蔽していることを示す遮蔽インジケータ３３ｅが設けられている。この態様によれば、レンズカバーユニット４が第２位置に配置されている場合に、遮蔽インジケータ３３ｅは透光カバー４４を介してユーザに目視可能な状態になる。したがって、ユーザは、当該遮蔽インジケータ３３ｅに基づき、カメラ６がレンズカバーユニット４により遮蔽されていることを把握することができる。
【００５３】
厚肉部４２に、ユーザが手指を掛けるための手掛かりである溝４５が形成されている。溝４５は、長孔３１ａの長手方向と直交する方向に延びる溝である。この態様によれば、ユーザが手指を掛けるための手掛かりをコンパクトに構成するとともに、ユーザによる押圧を、レンズカバーユニット４のスライド移動に効率良く用いることができる。
【００５４】
ノートパソコン１は、カメラ６が通電されている場合に光を発する発光ダイオード７を備えている。レンズカバーユニット４は、厚肉部４２とは異なる部位に薄肉部４１を有する。薄肉部４１は、レンズカバーユニット４が第１位置に配置されている場合は、発光ダイオード７が発した位置を遮らない位置に配置され、レンズカバーユニット４が第２位置に配置されている場合は、発光ダイオード７を遮蔽する。この構成によれば、ユーザは、発光ダイオード７の光に基づき、カメラ６によるカバー３の前方の撮影が可能か否かを把握することができる。
【００５５】
＜第２実施形＞
次に、図７から図１０を参照しながら、第２実施形態に係るノートパソコンについて説明する。第２実施形態に係るノートパソコンは、カメラ６周辺の構成が、第１実施形態に係るノートパソコン１のものと異なっている。第２実施形態の構成のうち、第１実施形態の構成と同一のものについては、同一の符号を付して、説明を適宜省略する。
【００５６】
第２実施形態に係るノートパソコンは、第１位置と第２位置との間でスライド移動可能なシャッタ４Ａを備えている。図７及び図８は、シャッタ４Ａが第１位置に配置された状態のカバー３Ａを示している。図７は、図１のＩＩ部に相当する部分を示す正面図であり、図８は、図７のＶＩＩＩ−ＶＩＩＩ断面を示す断面図である。また、図９及び図１０は、シャッタ４Ａが第２位置に配置された状態のカバー３Ａを示している。図９は、図１のＩＩ部に相当する部分を示す正面図であり、図１０は、図９のＸ−Ｘ断面を示す断面図である。
【００５７】
図７に示されるように、第２実施形態に係るカバー３Ａは、ベゼル３４を有している。起立しているカバー３Ａのベゼル３４の上端部であって、幅方向の略中央部には、カメラ孔３４ａ及びＬＥＤ孔３４ｂが形成されている。カメラ孔３４ａ及びＬＥＤ孔３４ｂは、いずれもベゼル３４を厚さ方向に貫通している。
【００５８】
図８に示されるように、カメラ孔３４ａには透光カバー３４ｃが嵌装されている。透光カバー３４ｃは、ポリエチレンテレフタレート、ポリスチレン、ポリプロピレン、アクリル等、可視光を透過させる樹脂材料により形成されている。ＬＥＤ孔３４ｂは、カメラ孔３４ａの側方に配置されている。
【００５９】
図８に示されるように、シャッタ４Ａは薄板形状を呈し、その全体がカバー３Ａ内に収容されている。シャッタ４Ａは、可視光を透過させない樹脂材料により形成されており、カメラ遮蔽部４２Ａ及びＬＥＤ遮蔽部４９を有している。ＬＥＤ遮蔽部４９は、通電インジケータ遮蔽部の一例である。また、シャッタ４Ａのうち、カメラ遮蔽部４２ＡとＬＥＤ遮蔽部４９との間の部位には、ＬＥＤ孔４８が形成されている。ＬＥＤ孔４８は、シャッタ４Ａを厚さ方向に貫通している。シャッタ４Ａは、カバー３Ａ内で幅方向にスライド移動することにより、後述するように第１位置と第２位置とに配置可能である。
【００６０】
図７に示されるように、内カバー３３の上端部にはスリット３３ｆが形成されている。スリット３３ｆは、幅方向に沿って延び、カバー３を貫通するように形成されている。
【００６１】
スリット３３ｆ内には、ノブ４７が配置されている。ノブ４７は、不図示の機構により、カバー３Ａ内においてシャッタ４Ａに対して固定されている。シャッタ４Ａは、このノブ４７がスリット３３ｆ内においてスライド移動することに伴い、同方向にスライド移動するように構成されている。
【００６２】
［シャッタ４Ａが第１位置に配置されている場合］
この場合、図８に示されるように、シャッタ４Ａのカメラ遮蔽部４２Ａはカメラ６からオフセット配置され、カメラ６の前方にはシャッタ４Ａが配置されない。したがって、図８に矢印Ｌ１３で示されるように、カメラ６はカバー３Ａの前方から透光カバー３４ｃを介して採光するとともに、当該採光に基づいて画像データを生成する。すなわち、シャッタ４Ａが第１位置に配置されている場合、カメラ６によるカバー３Ａの前方の撮影が可能になる。
【００６３】
また、図８に示されるように、発光ダイオード７の前方にシャッタ４ＡのＬＥＤ孔４８が配置される。このため、発光ダイオード７が発した光は、矢印Ｌ２３で示されるように、シャッタ４ＡのＬＥＤ孔４８と、ベゼル３４のＬＥＤ孔３４ｂと、を介してカバー３Ａの外部に出射する。ユーザは、ＬＥＤ孔３４ｂから光が出射していることに基づき、カメラ６がカバー３Ａの前方を撮影可能な状態にあることを把握することができる。
【００６４】
［第１位置から第２位置へのシャッタ４Ａのスライド移動］
ユーザは、手指をノブ４７に掛け、図７に矢印Ｓ４で示される方向に押圧することにより、シャッタ４Ａを第１位置から第２位置にスライド移動させることができる。
【００６５】
［シャッタ４Ａが第２位置に配置されている場合］
この場合、図１０に示されるように、シャッタ４Ａのカメラ遮蔽部４２Ａはカメラ６の前方に配置される。このため、矢印Ｌ１４で示されるように、カバー３の前方からカメラ６に向かう光は、カメラ遮蔽部４２Ａにより遮られ、カメラ６による採光が妨げられる。すなわち、シャッタ４Ａが第２位置に配置されている場合、カメラ６によるカバー３Ａの前方の撮影が禁止される。
【００６６】
さらに、発光ダイオード７の前方にシャッタ４ＡのＬＥＤ遮蔽部４９が配置される。このため、発光ダイオード７が発した光は、矢印Ｌ２４で示されるように、ＬＥＤ遮蔽部４９により遮られ、カバー３Ａの外部への出射が禁止される。ユーザは、ＬＥＤ孔３４ｂから光が出射していないことに基づき、カメラ６がカバー３Ａの前方を撮影不可能な状態にあることを把握することができる。
【００６７】
［第２位置から第１位置へのシャッタ４Ａのスライド移動］
ユーザは、手指をノブ４７に掛け、図９に矢印Ｓ５で示される方向に押圧することにより、シャッタ４Ａを第２位置から第１位置にスライド移動させることができる。
【００６８】
次に、第２実施形態に係るノートパソコンの作用効果について説明する。
【００６９】
カバー３Ａにカメラ孔３４ａが形成されている。カメラ６は、カメラ孔３４ａを介して撮影するように配置されている。シャッタ４Ａは、その全体がカバー３Ａ内に収容されている。
【００７０】
この態様によれば、ノートパソコンとは別途で、カメラ６を遮蔽する部材を用意する必要が無い。また、シャッタ４Ａを移動させるための機構を、カバー３Ａにより保護することが可能になる。
【００７１】
また、シャッタ４Ａは、カバー３Ａの厚さ方向と直交する方向にスライド移動可能に構成されている。この態様によれば、シャッタ４Ａを移動可能としつつ、シャッタ４Ａを収容するカバー３Ａの厚さの増加を抑制することが可能になる。
【００７２】
以上、具体例を参照しつつ本発明の実施の形態について説明した。しかし、本発明はこれらの具体例に限定されない。すなわち、これら具体例に、当業者が適宜設計変更を加えたものも、本発明の特徴を備えている限り、本発明の範囲に包含される。前述した各具体例が備える各要素及びその配置、材料、条件、形状、サイズなどは、例示したものに限定されず、適宜変更することができる。
【符号の説明】
【００７３】
１……ノートパソコン（電子機器）、１１ａ……キーボード（入力装置）、１１ｂ……タッチパット（入力装置）、２……ＬＣＤモジュール（表示パネル）、３，３Ａ……カバー、３１ａ……長孔、３３ｅ……遮蔽インジケータ、３４ａ……カメラ孔、４……レンズカバーユニット、４Ａ……シャッタ、４１……薄肉部（通電インジケータ遮蔽部）、４２……厚肉部（カメラ遮蔽部）、４２Ａ……カメラ遮蔽部、４４……透光カバー（透光部）、４５……溝（手掛かり）、４９……ＬＥＤ遮蔽部（通電インジケータ遮蔽部）、６……カメラ、７……発光ダイオード（通電インジケータ）
【図１】
2019028157.tif 000003
【図２】
2019028157.tif 000004
【図３】
2019028157.tif 000005
【図４】
2019028157.tif 000006
【図５】
2019028157.tif 000007
【図６】
2019028157.tif 000008
【図７】
2019028157.tif 000009
【図８】
2019028157.tif 000010
【図９】
2019028157.tif 000011
【図１０】
2019028157.tif 000012